【手続補正書】
【提出日】平成25年5月13日(2013.5.13)
【手続補正１】
【補正対象書類名】特許請求の範囲
【補正対象項目名】全文
【補正方法】変更
【補正の内容】
【特許請求の範囲】
【請求項１】
各逃し弁が内部流路を含み、その中に弁座および弁プラグが配置される少なくとも１つの圧力逃し弁の動作をモニタするための、コンピュータで実施する方法であって、
前記弁座の下流で、前記内部流路中の流体の温度を検知するステップと、
前記弁座の下流での前記流体の前記温度を表す弁温度信号を生成するステップと、
前記弁温度信号をモニタして、前記弁座の下流での前記流体の前記温度の変化率を検出するステップと、
前記弁座の上流において前記内部流路に接続された注入圧ラインの内圧を検知するステップと、
前記注入圧ラインの前記内圧を表すライン圧信号を生成するステップと、
前記ライン圧信号を、少なくとも１つの予想されるライン圧の値に照らして比較して、ライン圧ステータスを決定するステップと、
前記弁座の下流における前記流体の前記温度の前記検出された前記変化率に少なくとも部分的に基づいて、かつ前記決定されたライン圧ステータスに少なくとも部分的に基づいて、前記圧力逃し弁の動作ステータスを決定するステップと、
を含み、
前記弁座の下流での前記圧力逃し弁の本体の前記流体温度の前記変化率がゼロでないことを検出したことに応答して、前記ライン圧信号が、少なくとも１つの予想されるライン圧の値に照らして比較される、
方法。
【請求項２】
前記ライン圧信号を、前記注入圧ラインの予想される動作圧を表す値と比較するステップと、
前記ライン圧信号を、前記圧力逃し弁の予想される設定圧を表す値と比較するステップと、
前記流体の前記検出された温度の前記変化率を、前記圧力逃し弁が開状態であるときの、前記圧力逃し弁中の流体温度の予想される変化率を表す値と比較するステップとをさらに含む、
請求項１に記載の方法。
【請求項３】
予想される動作圧を表す値および開かれた圧力逃し弁中の流体の温度の予想される変化率を表す値の少なくとも１つが、複数の値を含み、
前記複数の値中の各値が、前記注入圧ラインの動作状態に対応する、
請求項２に記載の方法。
【請求項４】
前記弁温度信号を遠隔コンピュータに送信するステップをさらに含み、
前記弁温度が、前記遠隔コンピュータにおいてモニタされる、
請求項１に記載の方法。
【請求項５】
前記ライン圧信号を遠隔コンピュータに送信するステップをさらに含み、
前記注入圧ラインの前記内圧が、前記遠隔コンピュータにおいてモニタされる、
請求項１に記載の方法。
【請求項６】
前記加圧された注入ラインの外側、およびその近傍で室温を検知するステップと、
前記検知された室温を表す室温信号を生成するステップと、
前記内部温度信号を、前記室温信号と比較して、少なくとも１つの温度関係を決定するステップと、
をさらに含む請求項１に記載の方法。
【請求項７】
前記弁座の下流での前記圧力逃し弁中の前記流体の前記検出された温度の前記変化率を、前記弁座の下流での前記圧力逃し弁中の流体温度関する少なくとも１つの予想される変化率の値に照らして比較するステップをさらに含む、請求項１に記載の方法。
【請求項８】
前記ライン圧信号をモニタして、前記注入圧ラインの前記内圧の変化率を検出するステップをさらに含み、
前記弁座の下流での前記流体の前記温度または前記注入圧ラインの前記内圧のうちの１つの変化率がゼロでないことを検出したことに応答して、前記ライン圧信号が、予想されるライン圧の値に照らして比較される、
請求項１に記載の方法。
【請求項９】
前記弁座の下流での前記流体の前記温度の前記変化率が検出された場合、温度フラグ、または前記注入圧ラインの前記内圧の前記変化率が検出された場合、圧力フラグのうちの少なくとも１つを設定するステップをさらに含み、
前記圧力逃し弁の動作ステータスを決定するステップが、前記温度フラグまたは前記圧力フラグが設定されたかどうかにさらに基づく、
請求項８に記載の方法。
【請求項１０】
各圧力逃し弁が内部流路を含み、その中に弁座および弁プラグが配置される少なくとも１つの圧力逃し弁の動作ステータスを決定するためのシステムであって、
圧力逃し弁の前記内部流路の上流側端部に接続された注入圧ラインであり、
注入圧ライン中の流体の内圧を測定し、かつ、注入圧ラインの前記内圧を表す注入ライン圧信号を生成するように適合された圧力センサ、および
前記弁座の下流で、前記内部流路の一部分または前記内部流路中の流体の温度を測定し、かつ、前記弁座の下流での前記内部流路の前記一部分または前記内部流路中の前記流体の前記温度を表す弁温度信号を生成するように適合された温度センサを含む注入圧ラインと、
コンピュータ装置とを備え、前記コンピュータ装置が、
１）前記ライン圧信号と、少なくとも１つの予想される圧力の値との比較に基づいて、ライン圧ステータス、
２）前記弁温度信号に少なくとも基づいて、前記内部流路の前記一部分または前記内部流路中の前記流体の前記温度の変化率、
３）前記ライン圧ステータスに少なくとも部分的に基づいて、かつ、前記内部流路の前記一部分または前記内部流路中の前記流体の前記温度の前記変化率に少なくとも部分的に基づいて、前記少なくとも１つの圧力逃し弁の動作ステータス、
４）前記下流の流体温度の前記変化率と、少なくとも１つの予想される温度の変化の値との比較に基づいて、前記圧力逃し弁の開状態、
を決定するように適合された、
システム。
【請求項１１】
前記コンピュータ装置が、前記少なくとも１つの圧力逃し弁から遠く離れており、
各圧力逃し弁が、前記遠隔コンピュータ装置に前記内部温度信号を伝達するように適合された通信装置をさらに含む、請求項１０に記載のシステム。
【請求項１２】
前記コンピュータ装置が、前記加圧された注入ラインから遠く離れており、
前記加圧された注入ラインが、前記遠隔コンピュータ装置に前記ライン圧信号を伝達するように適合された通信装置をさらに含む、請求項１０に記載のシステム。
【請求項１３】
前記コンピュータ装置が、前記少なくとも１つの予想される圧力の値または前記少なくとも１つの予想される温度の変化の値のうちの少なくとも１つを格納するように適合されたデータベースを含む、請求項１０に記載のシステム。
【請求項１４】
前記少なくとも１つの予想される温度の変化の値が、予想される開いた弁の変化率を少なくとも含む、請求項１０に記載のシステム。
【請求項１５】
前記少なくとも１つの予想される圧力の値が、前記加圧された注入ラインの動作圧を含む、請求項１０に記載のシステム。
【請求項１６】
前記注入ラインが、前記加圧された注入ラインの外側およびその近傍で室温を測定するように適合された第２の温度センサをさらに含む、請求項１０に記載のシステム。
【請求項１７】
前記圧力逃し弁が、空圧、電磁気、パイロットまたはスプリング作動式の逃し弁の１つである、請求項１０に記載のシステム。
【請求項１８】
前記コンピュータ装置が、
前記ライン圧信号に少なくとも基づいて、ライン圧の変化率を決定し、かつ
前記ライン圧の変化率に少なくとも基づいて、前記少なくとも１つの圧力逃し弁の動作ステータスを決定するようにさらに適合される、請求項１０に記載のシステム。
【請求項１９】
前記ライン圧信号および前記下流の流体温度信号の値を格納するように適合されたデータベースをさらに含み、
前記コンピュータ装置が、前記少なくとも１つの圧力逃し弁の動作ステータスを決定するために、前記データベース中に格納された値にアクセスするように適合される、
請求項１８に記載のシステム。
【請求項２０】
前記データベースが、前記下流の流体温度の前記変化率がゼロでないことを検出したことに応答して温度フラグ、または前記ライン圧の変化率がゼロでないことを検出したことに応答して圧力フラグのうちの１つを格納するようにさらに適合され、
前記コンピュータ装置が、前記温度フラグまたは前記圧力フラグが設定されたかどうかに基づいて、前記少なくとも１つの圧力逃し弁の動作ステータスを決定するようにさらに適合される、
請求項１９に記載のシステム。
【請求項２１】
各圧力逃し弁が内部流路を含み、その中に弁座および弁プラグが配置される１つまたは複数の圧力逃し弁の動作をモニタするための、コンピュータで実施する方法であって、
前記弁座の下流での前記内部流路の一部分の温度を検知するステップと、
前記弁座の下流での前記内部流路の前記一部分の前記温度を表す弁温度信号を生成するステップと、
前記弁温度信号をモニタして、前記弁座の下流での前記内部流路の前記一部分の前記温度の変化率を検出するステップと、
前記弁座の上流において前記内部流路に接続された注入圧ラインの内圧を検知するステップと、
前記注入圧ラインの前記内圧を表すライン圧信号を生成するステップと、
前記ライン圧信号を、少なくとも１つの予想されるライン圧の値に照らして比較して、ライン圧ステータスを決定するステップと、
前記弁座の下流での前記内部流路の前記一部分の前記検出された温度の前記変化率に少なくとも部分的に基づいて、かつ、前記決定されたライン圧ステータスに少なくとも部分的に基づいて、前記圧力逃し弁の動作ステータスを決定するステップと、
を含み、
前記弁座の下流での前記圧力逃し弁の本体の前記流体温度の変化率がゼロでないことを検出したことに応答して、前記ライン圧信号が、少なくとも１つの予想されるライン圧の値に照らして比較される、
方法。
【請求項２２】
前記温度が、前記弁座の下流において前記内部流路の表面近くで検知される、請求項２１に記載の方法。
【請求項２３】
前記内部流路の一部分の温度を検知するステップが、前記弁座の下流において前記内部流路の前記一部分の近くで内部流体体積の温度を検知するステップを含む、請求項２１に記載の方法。
【請求項２４】
圧力逃し弁（複数）の動作ステータスを決定するためのシステムであって、
前記圧力逃し弁の内部流路の上流側端部に接続された、加圧された注入ラインであり、
加圧されたライン中の流体の内圧を測定し、かつ、前記測定された圧力を、注入ライン圧を表す信号に変換するように適合された圧力センサ、および
前記内部通路中に配置された弁プラグの弁座の下流での前記内部流路の一部分の温度を測定し、前記内部流路の前記一部分の前記測定された温度を、弁温度を表す信号に変換するように適合された温度センサを含む、加圧された注入ラインと、
コンピュータ装置とを備え、前記コンピュータ装置が、
１）前記ライン圧信号と、少なくとも１つの予想される圧力の値との比較に基づいて、ライン圧ステータス、
２）前記弁温度信号に少なくとも基づいて、前記内部流路の前記一部分の前記温度の変化率、および
３）前記ライン圧ステータスおよび前記内部流路の前記一部分の前記温度の前記変化率に少なくとも基づいて、前記少なくとも１つの圧力逃し弁の動作ステータスと、
４）前記下流の流体の温度の前記変化率と、少なくとも１つの予想される温度の変化の値との比較に基づいて、前記圧力逃し弁の開状態と、
を決定するように適合された、
システム。
【請求項２５】
前記温度センサが、前記内部流路の内側表面上に配置される、請求項２４に記載のシステム。
【請求項２６】
前記温度センサが、前記内部流路の内部体積中に配置される、請求項２４に記載のシステム。
【請求項２７】
前記注入ラインが、前記加圧された注入ラインの外側およびその近傍で室温を測定するように適合された第２の温度センサをさらに含む、請求項２４に記載のシステム。
【請求項２８】
前記コンピュータ装置が、前記少なくとも１つの圧力逃し弁から遠く離れており、
各圧力逃し弁が、前記遠隔コンピュータ装置に前記内部温度信号を伝達するように適合された通信装置をさらに含む、請求項２４に記載のシステム。
【請求項２９】
前記コンピュータ装置が、前記加圧された注入ラインから遠く離れており、
前記加圧された注入ラインが、前記遠隔コンピュータ装置に前記ライン圧信号を伝達するように適合された通信装置をさらに含む、
請求項２４に記載のシステム。
【請求項３０】
前記コンピュータ装置が、前記少なくとも１つの予想される圧力の値または前記少なくとも１つの予想される温度の変化の値のうちの少なくとも１つを格納するデータベースを含む、請求項２４に記載のシステム。
【請求項３１】
前記少なくとも１つの予想される温度の変化の値が、予想される開いた弁の変化率を少なくとも含む、請求項２４に記載のシステム。
【請求項３２】
前記少なくとも１つの予想される圧力の値が、前記加圧された注入ラインの動作圧を含む、請求項２４に記載のシステム。
【請求項３３】
前記注入ラインが、前記加圧された注入ラインの外側およびその近傍で室温を測定するように適合された第２の温度センサをさらに含む、請求項２４に記載のシステム。
【請求項３４】
前記圧力逃し弁が、空圧、電磁気、パイロットまたはスプリング作動式の逃し弁の１つである、請求項２４に記載のシステム。
【請求項３５】
前記コンピュータ装置が、
前記ライン圧信号に少なくとも基づいて、ライン圧の変化率を決定し、かつ
前記ライン圧の変化率に少なくとも基づいて、前記少なくとも１つの圧力逃し弁の動作ステータスを決定するようにさらに適合される、
請求項２４に記載のシステム。
【請求項３６】
各圧力逃し弁が内部流路を含み、その中に弁座および弁プラグが配置される１つまたは複数の圧力逃し弁の動作をモニタするための、コンピュータで実施する方法であって、
前記弁座の下流での前記内部流路中の流体の温度を検知するステップと、
前記弁座の下流での前記流体の前記温度を表す弁温度信号を生成するステップと、
前記弁温度信号をモニタして、前記弁座の下流での前記流体の前記温度の変化率を検出するステップと、
前記弁座の上流において前記内部流路に接続された注入圧ラインの内圧を検知するステップと、
前記注入圧ラインの前記内圧を表すライン圧信号を生成するステップと、
前記ライン圧信号を、少なくとも１つの予想されるライン圧の値に照らして比較して、ライン圧ステータスを決定するステップと、
前記弁座の下流での前記検出された流体温度の前記変化率に少なくとも部分的に基づいて、かつ、前記決定されたライン圧ステータスに少なくとも部分的に基づいて、前記圧力逃し弁の動作ステータスを決定するステップと、
前記弁座の下流での前記圧力逃し弁中の前記流体の前記検出された温度の前記変化率を、前記弁座の下流での前記圧力逃し弁中の前記流体温度に関する少なくとも１つの予想される変化率の値に照らして比較するステップと、
を含む方法。
【請求項３７】
各圧力逃し弁が内部流路を含み、その中に弁座および弁プラグが配置される１つまたは複数の圧力逃し弁の動作をモニタするための、コンピュータで実施する方法であって、
前記弁座の下流での前記内部流路中の流体の温度を検知するステップと、
前記弁座の下流での前記流体の前記温度を表す弁温度信号を生成するステップと、
前記弁温度信号をモニタして、前記弁座の下流での前記流体の前記温度の変化率を検出するステップと、
前記弁座の上流において前記内部流路に接続された注入圧ラインの内圧を検知するステップと、
前記注入圧ラインの前記内圧を表すライン圧信号を生成するステップと、
前記ライン圧信号を、少なくとも１つの予想されるライン圧の値に照らして比較して、ライン圧ステータスを決定するステップと、
前記弁座の下流での前記検出された流体温度の前記変化率に少なくとも部分的に基づいて、かつ、前記決定されたライン圧ステータスに少なくとも部分的に基づいて、前記圧力逃し弁の動作ステータスを決定するステップと、
前記ライン圧信号をモニタして、前記注入圧ラインの前記内圧の変化率を検出するステップと、
を含み、
前記弁座の下流での前記流体の前記温度または前記注入圧ラインの前記内圧のうちの１つの変化率がゼロでないことを検出したことに応答して、前記ライン圧信号が、予想されるライン圧の値に照らして比較される、
方法。
【請求項３８】
圧力逃し弁（複数）の動作ステータスを決定するためのシステムであって、
圧力逃し弁（単数）の内部流路の上流側端部に接続された、加圧された注入ラインであり、
加圧されたライン中の流体の内圧を測定し、かつ、前記測定された圧力を、注入ライン圧を表す信号に変換するように適合された圧力センサ、および
前記内部通路中に配置された弁プラグの弁座の下流において前記内部流路中の流体の温度を測定し、かつ、前記流体の前記測定された温度を、下流の流体温度を表す信号に変換するように適合された温度センサを含む、加圧された注入ラインと、
コンピュータ装置とを備え、前記コンピュータ装置が、
１）前記ライン圧信号と、少なくとも１つの予想される圧力の値との比較に基づいて、ライン圧ステータス、
２）前記下流の流体温度信号に少なくとも基づいて、前記下流の流体温度の変化率、
３）前記ライン圧ステータスおよび前記下流の流体温度の前記変化率に少なくとも基づいて、前記少なくとも１つの圧力逃し弁の動作ステータス、
４）前記ライン圧信号に少なくとも基づいて、ライン圧の変化率、
５）前記ライン圧の変化率に少なくとも基づいて、前記少なくとも１つの圧力逃し弁の動作ステータス、
を決定するように適合された、
システム。
【請求項３９】
圧力逃し弁（複数）の動作ステータスを決定するためのシステムであって、
前記圧力逃し弁の内部流路の上流側端部に接続された、加圧された注入ラインであり、
加圧されたライン中の流体の内圧を測定し、かつ、前記測定された圧力を、注入ライン圧を表す信号に変換するように適合された圧力センサ、および
前記内部通路中に配置された弁プラグの弁座の下流での前記内部流路の一部分の温度を測定し、前記内部流路の前記一部分の前記測定された温度を、弁温度を表す信号に変換するように適合された温度センサを含む、加圧された注入ラインと、
コンピュータ装置とを備え、前記コンピュータ装置が、
１）前記ライン圧信号と、少なくとも１つの予想される圧力の値との比較に基づいて、ライン圧ステータス、
２）前記弁温度信号に少なくとも基づいて、前記内部流路の前記一部分の前記温度の変化率、
３）前記ライン圧ステータスおよび前記内部流路の前記一部分の前記温度の前記変化率に少なくとも基づいて、前記少なくとも１つの圧力逃し弁の動作ステータス、
４）前記ライン圧信号に少なくとも基づいて、ライン圧の変化率、
５）前記ライン圧の変化率に少なくとも基づいて、前記少なくとも１つの圧力逃し弁の動作ステータス、
を決定するように適合された、
システム。
【請求項４０】
各圧力逃し弁が内部流路を含み、その中に弁座および弁プラグが配置される１つまたは複数の圧力逃し弁の動作をモニタするための、コンピュータで実施する方法であって、
前記弁座の下流での前記内部流路の一部分の温度を検知するステップと、
前記弁座の下流での前記内部流路の前記一部分の前記温度を表す弁温度信号を生成するステップと、
前記弁温度信号をモニタして、前記弁座の下流での前記内部流路の前記一部分の前記温度の変化率を検出するステップと、
前記弁座の上流において前記内部流路に接続された注入圧ラインの内圧を検知するステップと、
前記注入圧ラインの前記内圧を表すライン圧信号を生成するステップと、
前記ライン圧信号を、少なくとも１つの予想されるライン圧の値に照らして比較して、ライン圧ステータスを決定するステップと、
前記弁座の下流での前記内部流路の前記一部分の前記検出された温度の前記変化率に少なくとも部分的に基づいて、かつ、前記決定されたライン圧ステータスに少なくとも部分的に基づいて、前記圧力逃し弁の動作ステータスを決定するステップと、
前記弁座の下流での前記内部流路の前記一部分の前記流体の前記検出された温度の前記変化率を、前記弁座の下流での前記内部流路の前記一部分の前記流体温度に関する少なくとも１つの予想される変化率の値に照らして比較するステップと、
を含む方法。